(57)【要約】【課題】店舗へ入店するに際しての条件を明確に指定した利用者の順番待ちだけでなく、店舗へ入店するに際しての条件がいずれであっても良い利用者の順番待ちも合わせて管理すること。【解決手段】実施形態によれば、登録手段は、複数の利用者の各々により受付時に各々選択された条件を含む複数の順番待ち情報を登録する。表示処理手段は、登録された複数の順番待ち情報のうち、複数種別ある第１条件のうちの少なくとも一つを含む第１順番待ち情報を第１条件の種別毎に、店舗端末に表示し、複数種別ある第１条件のいずれであっても良いことを条件とする第２条件を含む第２順番待ち情報を第１条件の各種別に含めて店舗端末に表示する。【選択図】図３
2019067099.tif 000002
【特許請求の範囲】
【請求項１】
店舗に設けられる店舗端末と通信可能に接続される情報管理装置であって、
複数の利用者の各々により受付時に各々選択された条件を含む複数の順番待ち情報を登録する登録手段と、
前記登録された複数の順番待ち情報のうち、複数種別ある第１条件のうちの少なくとも一つを含む第１順番待ち情報を前記第１条件の種別毎に、前記店舗端末に表示し、
前記複数種別ある第１条件のいずれであっても良いことを条件とする第２条件を含む第２順番待ち情報を前記第１条件の各種別に含めて前記店舗端末に表示する表示処理手段と
を具備する、情報管理装置。
【請求項２】
前記順番待ち情報は、順番待ちの受付がなされた受付時刻をさらに含み、
前記表示処理手段は、
前記第１条件の種別毎に、前記第１及び第２順番待ち情報を、前記受付時刻の早い順にて表示する、請求項１に記載の情報管理装置。
【請求項３】
所定の順番待ち情報に関し、前記第１条件の種別毎に設定された単位時間と、前記所定の順番待ち情報から見た待ち組数とを乗算することで待ち時間を算出する算出手段を
さらに具備し、
前記表示処理手段は、
前記第１条件の種別毎に算出される所定の第２順番待ち情報の各待ち時間のうち、最も短い待ち時間に対応した第１条件の種別にて前記所定の第２順番待ち情報を強調表示する、請求項１に記載の情報管理装置。
【請求項４】
前記表示処理手段は、
前記所定の第２順番待ち情報を、前記算出される各待ち時間のうち、最も短い待ち時間に対応した第１条件の種別以外の種別でも表示する、請求項３に記載の情報管理装置。
【請求項５】
前記表示処理手段は、
前記所定の第２順番待ち情報を、前記算出される各待ち時間のうち、最も短い待ち時間に対応した第１条件の種別にだけ表示し、その他の第１条件の種別では非表示とする、請求項３に記載の情報管理装置。
【請求項６】
前記表示処理手段は、
前記第１条件の各種別の最上位に表示される各順番待ち情報のいずれかに対応した利用者が前記店舗に案内されると、当該利用者に対応した順番待ち情報を消し込み、当該順番待ち情報の次に表示されていた順番待ち情報を最上位に再表示する、請求項３または請求項５に記載の情報管理装置。
【請求項７】
前記算出手段は、
前記最上位に再表示された順番待ち情報が前記第２順番待ち情報である場合、前記待ち時間を再計算する、請求項６に記載の情報管理装置。
【請求項８】
店舗に設けられる店舗端末と通信可能に接続される情報管理装置が実行する情報管理方法であって、
複数の利用者の各々により受付時に各々選択された条件を含む複数の順番待ち情報を登録するステップと、
前記登録された複数の順番待ち情報のうち、複数種別ある第１条件のうちの少なくとも一つを含む第１順番待ち情報を第１条件の種別毎に、前記店舗端末に表示し、
前記複数種別ある第１条件のいずれであっても良いことを条件とする第２条件を含む第２順番待ち情報を前記第１条件の各種別に含めて前記店舗端末に表示するステップと
を具備する、情報管理方法。
【請求項９】
店舗に設けられる店舗端末と通信可能に接続される情報管理装置のコンピュータによって実行されるプログラムであって、
前記コンピュータに、
複数の利用者の各々により受付時に各々選択された条件を含む複数の順番待ち情報を登録するステップと、
前記登録された複数の順番待ち情報のうち、複数種別ある第１条件のうちの少なくとも一つを含む第１順番待ち情報を第１条件の種別毎に、前記店舗端末に表示し、
前記複数種別ある第１条件のいずれであっても良いことを条件とする第２条件を含む第２順番待ち情報を前記第１条件の各種別に含めて前記店舗端末に表示するステップと
を実行させるためのプログラム。
【発明の詳細な説明】
【技術分野】
【０００１】
本実施形態は、情報管理装置、情報管理方法及びプログラムに関する。
【背景技術】
【０００２】
一般に、飲食店等の店舗を利用する利用者は、当該店舗に来店した時点で当該店舗が満席の状態にある場合、当該店舗が利用可能となるまで順番待ちをする必要がある。
【０００３】
近年では、このような順番待ちを管理するためのシステムが開発されており、当該システムにおいては、順番待ちの管理業務を効率化することができる（例えば、特許文献１を参照）。
【先行技術文献】
【特許文献】
【０００４】
【特許文献１】特開２０１７−１６５６９号公報
【発明の概要】
【発明が解決しようとする課題】
【０００５】
しかしながら、特許文献１に記載の順番管理システムでは、カラオケまたはボウリング場のどちらかに入店したい利用者の順番待ちは管理することができるものの、カラオケまたはボウリング場のどちらであっても、より早く入店できる店舗に入店したい利用者の順番待ちを管理することはできないという不都合がある。
【０００６】
つまり、店舗へ入店するに際しての条件を明確に指定した利用者の順番待ちを管理することはできるものの、店舗へ入店するに際しての条件がいずれであっても良い利用者を含めての順番待ちを管理することはできないという不都合がある。
【０００７】
そこで、本発明の目的は、店舗へ入店するに際しての条件を明確に指定した利用者の順番待ちだけでなく、店舗へ入店するに際しての条件がいずれであっても良い利用者の順番待ちも合わせて管理することが可能な情報管理装置、情報管理方法及びプログラムを提供することである。
【課題を解決するための手段】
【０００８】
本発明の１つの態様によれば、店舗に設けられる店舗端末と通信可能に接続される情報管理装置が提供される。前記情報管理装置は、登録手段と、表示処理手段とを具備する。前記登録手段は、複数の利用者の各々により受付時に各々選択された条件を含む複数の順番待ち情報を登録する。前記表示処理手段は、前記登録された複数の順番待ち情報のうち、複数種別ある第１条件のうちの少なくとも一つを含む第１順番待ち情報を第１条件の種別毎に、前記店舗端末に表示し、前記第１条件のいずれであっても良いことを条件とする第２条件を含む第２順番待ち情報を前記第１条件の各種別に含めて前記店舗端末に表示する。
【発明の効果】
【０００９】
本発明は、店舗へ入店するに際しての条件を明確に指定した利用者の順番待ちだけでなく、店舗へ入店するに際しての条件がいずれであっても良い利用者の順番待ちも合わせて管理することを可能にする。
【図面の簡単な説明】
【００１０】
【図１】本発明の一実施形態に係る情報管理装置を備える情報管理システムの構成の一例を示す図。
【図２】情報管理装置のハードウェア構成の一例を示す図。
【図３】情報管理装置の機能構成の一例を示すブロック図。
【図４】第１店舗端末からの順番待ちを示す順番待ち情報を登録する際の情報管理システムの処理手順の一例を示すシーケンス図。
【図５】利用者端末からの順番待ちを示す順番待ち情報を登録する際の情報管理システムの処理手順の一例を示すシーケンス図。
【図６】順番待ち情報のデータ構造の一例を示す図。
【図７】第２店舗端末に全体状況画面を表示する際の情報管理システムの処理手順の一例を示すシーケンス図。
【図８】図７に示すステップＳ１３の具体的な処理手順の一例を示すフローチャート。
【図９】全体状況画面の一例を示す図。
【図１０】図９に示す全体状況画面に対応した順番待ち情報のデータ構造の一例を示す図。
【図１１】全体状況画面の一例を示す別の図。
【図１２】全体状況画面の一例を示すさらに別の図。
【図１３】順番待ち受付画面の一例を示す図。
【図１４】全体状況画面の一例を示すさらに別の図。
【発明を実施するための形態】
【００１１】
以下、図面を参照して実施形態を説明する。  
【００１２】
図１は、一実施形態に係る情報管理装置を備える情報管理システム（ネットワークシステム）の構成例を示す。情報管理システムは、各種店舗（施設）における利用者の順番待ちを管理するためのシステムである。なお、本実施形態において、店舗には、例えば飲食店、薬局、病院、美容院、旅行代理店、スマートフォンまたは携帯電話の購入及び契約が可能なショップ、及びアミューズメント施設等が含まれる。すなわち、本実施形態における店舗は、利用者が当該店舗を利用するために順番待ちが可能な店舗であれば良い。
【００１３】
図１に示すように、情報管理システムは、情報管理装置１０、第１店舗端末２０、第２店舗端末３０及び利用者端末４０、等を備える。なお、情報管理装置１０は、第１店舗端末２０、第２店舗端末３０及び利用者端末４０とそれぞれインターネットのようなネットワーク５０を介して通信可能に接続されている。
【００１４】
情報管理装置１０は、店舗における利用者による順番待ちを管理するための機能を有するサーバ装置である。なお、情報管理装置１０の機能構成については別途後述する。
【００１５】
第１店舗端末２０及び第２店舗端末３０は、順番待ちが可能な店舗に設けられている。第１店舗端末２０は、例えば店舗の入り口（つまり、店頭）付近に設置され、主に店舗に来店する利用者（客）によって使用される。利用者は、例えば店舗に来店した時点で店舗が満席の状態にある場合、第１店舗端末２０を操作することによって当該店舗において順番待ちをすることができる。
【００１６】
第２店舗端末３０は、例えば店舗のレジ付近に設置され、主に店舗のスタッフ（従業員等）によって使用される。店舗のスタッフは、第２店舗端末３０において順番待ちの状況等を確認することができる。
【００１７】
本実施形態においては、第１店舗端末２０及び第２店舗端末３０が異なる端末であるものとして説明するが、当該第１店舗端末２０及び第２店舗端末３０は一体として構成されていても良い。
【００１８】
利用者端末４０は、例えば店舗を利用する利用者によって使用される当該利用者の端末である。利用者端末４０には、例えばフィーチャーフォン、スマートフォン、タブレット端末及びパーソナルコンピュータ（ＰＣ）等が含まれる。利用者端末４０は、例えば店舗以外の場所から店舗に対する順番待ちをするために用いられる。
【００１９】
なお、図１においては、便宜的に、第１店舗端末２０、第２店舗端末３０及び利用者端末４０がそれぞれ１つずつ示されているが、情報管理装置１０には、複数の第１店舗端末２０及び第２店舗端末３０が接続されていても良いし、複数の利用者端末４０が接続されていても良い。
【００２０】
図２は、図１に示す情報管理装置１０のハードウェア構成の一例を示す。図２に示すように、情報管理装置１０においては、バス１１に、不揮発性メモリ１２、ＣＰＵ１３、メインメモリ１４及び通信部１５、等が接続されている。なお、不揮発性メモリ１２及びメインメモリ１４は、情報管理装置１０の記憶装置を構成する。
【００２１】
不揮発性メモリ１２は、例えばオペレーティングシステム（ＯＳ）及び上記した店舗における順番待ちを管理するためのプログラム（以下、「順番管理プログラム」と表記）を含む各種プログラムを格納する。
【００２２】
ＣＰＵ１３は、例えば不揮発性メモリ１２に格納されている各種プログラムを実行するプロセッサである。なお、ＣＰＵ１３は、情報管理装置１０全体の制御を実行する。
【００２３】
メインメモリ１４は、例えばＣＰＵ１３が各種プログラムを実行する際に必要とされるワークエリア等として使用される。
【００２４】
図２においては不揮発性メモリ１２及びメインメモリ１４のみが示されているが、情報管理装置１０は、ＨＤＤ（Hard Disk Drive）及びＳＳＤ（Solid State Drive）等の他の記憶装置を備えていても良い。
【００２５】
通信部１５は、インターネット等のネットワーク５０を介して例えば第１店舗端末２０、第２店舗端末３０及び利用者端末４０等の外部装置との通信を制御する機能を有する。なお、通信部１５によれば、例えば無線ＬＡＮ及びＷｉｆｉ（登録商標）等の無線通信機能を実現することができる。
【００２６】
図３は、本実施形態に係る情報管理装置１０の主となる機能構成の一例を示すブロック図である。図３に示すように、情報管理装置１０は、受付部１０１、登録部１０２、管理部１０３、表示処理部１０４及び格納部１０５、等を含む。
【００２７】
本実施形態において、各部１０１〜１０４は、例えば図２に示すＣＰＵ１３（つまり、情報管理装置１０のコンピュータ）が不揮発性メモリ１２に格納されている順番管理プログラムを実行すること（つまり、ソフトウェア）により実現されるものとする。なお、この順番管理プログラムは、コンピュータ読み取り可能な記憶媒体に予め格納して頒布可能である。また、このプログラムは、例えばネットワークを介して情報管理装置１０にダウンロードされても構わない。
【００２８】
ここでは、各部１０１〜１０４がソフトウェアにより実現されるものとして説明したが、当該各部１０１〜１０４は、ハードウェアにより実現されても良いし、ソフトウェア及びハードウェアの組み合わせ構成によって実現されても良い。
【００２９】
また、本実施形態において、格納部１０５は、例えば図２に示す不揮発性メモリ１２または他の記憶装置等に格納される。
【００３０】
受付部１０１は、例えば第１店舗端末２０に対する複数の利用者の各々の操作に基づいて、当該第１店舗端末２０から店舗に対する順番待ちを受け付ける。また、受付部１０１は、利用者端末４０に対する利用者の操作に基づいて、当該利用者端末４０から店舗に対する順番待ちを受け付ける。さらに、受付部１０１は、例えば第２店舗端末３０に対する複数のスタッフの各々の操作に基づいて、当該第２店舗端末３０から店舗に対する順番待ちを受け付けることも可能である。
【００３１】
登録部１０２は、受付部１０１によって第１店舗端末２０からの順番待ちが受け付けられた場合、当該順番待ちを示す順番待ち情報を格納部１０５に登録（格納）する。また、登録部１０２は、受付部１０１によって第２店舗端末３０からの順番待ちが受け付けられた場合には、当該順番待ちを示す順番待ち情報を格納部１０５に登録する。さらに、登録部１０２は、受付部１０１によって利用者端末４０からの順番待ちが受け付けられた場合には、当該順番待ちを示す順番待ち情報を格納部１０５に登録する。
【００３２】
なお、順番待ち情報は、当該順番待ち情報によって示される順番待ちが受け付けられた順に格納部１０５に格納される。
【００３３】
管理部１０３は、例えば第２店舗端末３０からの要求に応じて、格納部１０５に格納された順番待ち情報を当該第２店舗端末３０に表示するための画面を生成する。
【００３４】
また、管理部１０３は、第２店舗端末３０に対する店舗のスタッフの操作に基づいて、格納部１０５に格納されている順番待ち情報を更新する。
【００３５】
表示処理部１０４は、管理部１０３によって生成された画面を第２店舗端末３０に送信し、当該画面を第２店舗端末３０に表示させる。
【００３６】
以下、図４のシーケンス図を参照して、第１店舗端末２０からの順番待ちを示す順番待ち情報を登録する際の情報管理システムの処理手順について説明する。ここでは、第１店舗端末２０から順番待ちを行う利用者を対象利用者と称する。
【００３７】
まず、対象利用者が、第１店舗端末２０（及び第２店舗端末３０）が設けられている店舗に来店した場合を想定する。この場合、第１店舗端末２０には、対象利用者の店舗に対する順番待ちを受け付けるための受付画面が表示されている（ステップＳ１）。なお、この受付画面は、例えば第１店舗端末２０上で動作するブラウザを介して表示されている。
【００３８】
例えば対象利用者が店舗に来店した時点で店舗が満席の状態にある場合、対象利用者は、第１店舗端末２０に表示されている受付画面に対する操作を行う。なお、例えば店舗の利用者の数等を把握するために、満席の状態でない場合であっても受付画面に対する操作を利用者に行わせるようにしても良い。
【００３９】
第１店舗端末２０は例えばタッチパネルを備えており、本実施形態においては、対象利用者は、当該タッチパネルを介して、受付画面において店舗に入店する人数と、当該店舗へ入店するに際しての条件（例えば、席種の指定等であり、以下では「部門」と表記する）とを入力（選択）することができる。
【００４０】
なお、本実施形態における受付画面においては、人数と部門とを少なくとも入力することができるものであれば良いが、当該受付画面は、例えば対象利用者の氏名、電話番号、予約カテゴリ等をさらに入力することができるようなものであっても良い。予約カテゴリとは、上記した部門とは異なり、禁煙席または喫煙席の指定や、子供用の椅子の有無の指定等、対象利用者にとって「どちらでも良い」といったことが生じ得ない（生じる可能性の低い）条件である。これに対し、上記した部門は、席種の指定等、対象利用者にとって「どちらでも良い」といったことが生じ得る（生じる可能性が高い）条件である。
【００４１】
また、受付画面においては、順番待ちの状況が表示されても良い。
【００４２】
ここでは、受付画面において人数及び部門を入力することができるものとして説明したが、当該受付画面において、例えば「受付」ボタンが押下された場合に、人数及び部門を入力することができるようにしても良い。
【００４３】
上記したように受付画面に対して対象利用者が人数及び部門を入力した場合、当該第１店舗端末２０は、対象利用者によって入力された人数及び部門を取得する（ステップＳ２）。
【００４４】
第１店舗端末２０は、取得された人数及び部門を含む順番待ちの受付要求を、ネットワーク５０を介して情報管理装置１０に送信する（ステップＳ３）。
【００４５】
情報管理装置１０に含まれる受付部１０１は、第１店舗端末２０によって送信された順番待ちの受付要求を受信する。これにより、受付部１０１は、第１店舗端末２０が設けられている店舗に対する順番待ちを受け付ける。
【００４６】
次に、登録部１０２は、受付部１０１によって受け付けられた順番待ちを登録するために、当該順番待ちを示す順番待ち情報を生成する（ステップＳ４）。
【００４７】
ここで、ステップＳ４の処理について説明する。まず、受付部１０１によって順番待ちが受け付けられた場合、登録部１０２は、当該順番待ちに対して受付番号を発行する。この受付番号は、例えば店舗の営業開始から順番待ちが受け付けられる度に連番で発行される。なお、受付番号は、営業日が変わればリセットされるものとする。
【００４８】
また、登録部１０２は、例えば現在時刻を受付時刻（登録時刻）として取得する。受付時刻は、順番待ち情報が登録された時刻として用いられる。なお、この受付時刻は、例えば情報管理装置１０内のクロック等から取得される。
【００４９】
なお、上記したように格納部１０５には、例えば対象利用者の順番待ちよりも前に登録された他の利用者の順番待ちを示す順番待ち情報が格納されている。
【００５０】
登録部１０２は、対象利用者（の順番待ち）のステータスを取得する。ステータスは、利用者が店舗（または席）に案内されていないことを示す「未案内」、利用者が店舗（または席）に案内されたことを示す「案内済み」等を含む。上記したようにステップＳ４において順番待ち情報が生成される時点では、登録部１０２は、対象利用者のステータスとして「未案内」を取得する。
【００５１】
なお、ここでは、対象利用者のステータスが「未案内」または「案内済み」のどちらかである場合を想定するが、対象利用者のステータスとしては、利用者が順番待ちをキャンセルしたことを示す「キャンセル」等がさらに含まれていても良い。
【００５２】
これにより、登録部１０２は、受付部１０１によって受信された受付要求に含まれる人数及び部門に加えて、上記した受付番号、受付時刻及びステータスを含む順番待ち情報を生成する。
【００５３】
上記したようにステップＳ４において生成された順番待ち情報は、登録部１０２によって格納部１０５に登録される（ステップＳ５）。
【００５４】
ステップＳ５において順番待ち情報が登録されると、当該登録が完了した旨の通知（以下、「登録完了通知」と表記）が情報管理装置１０から第１店舗端末２０に送信される（ステップＳ６）。なお、登録完了通知には、登録された順番待ち情報に含まれる受付番号が含まれる。
【００５５】
ここで、第１店舗端末２０には、印刷装置が内蔵されているものとする。これにより、第１店舗端末２０においては、情報管理装置１０から送信された登録完了通知（に含まれる受付番号）が受信され、印刷装置によって当該受付番号が印刷された順番待ちカードが発券される（ステップＳ７）。なお、登録完了通知には、受付番号の他に、受付時刻（登録時刻）等の情報が含まれていても良い。
【００５６】
対象利用者は、発券された順番待ちカードに印刷されている受付番号に基づいて店舗のスタッフに呼び出されることによって、当該店舗（または席）に案内される。
【００５７】
次に、図５のシーケンス図を参照して、利用者端末４０からの順番待ちを示す順番待ち情報を登録する際の情報管理システムの処理手順について説明する。ここでは、利用者端末４０から順番待ちを行う利用者を対象利用者と称する。
【００５８】
まず、対象利用者が利用者端末４０から順番待ちを行う場合、当該対象利用者は、所定のＷｅｂページ（サイト）において当該対象利用者に割り当てられているログインＩＤ及びパスワード（以下、「対象利用者のログインＩＤ及びパスワード」と表記）を入力することによって、情報管理システム（情報管理装置１０）にログインする（ステップＳ１１）。
【００５９】
なお、対象利用者のログインＩＤ及びパスワードは、対象利用者が例えば会員登録等を行う際に設定される。対象利用者のログインＩＤ及びパスワードは、情報管理装置１０において管理されているものとする。これにより、図５においては示されていないが、利用者端末４０において入力されたログインＩＤ及びパスワードは当該利用者端末４０から情報管理装置１０に送信され、当該ログインＩＤ及びパスワードが情報管理装置１０で管理されている対象利用者のログインＩＤ及びパスワードと一致する場合に、対象利用者は、ログインすることができる。
【００６０】
ステップＳ１１において情報管理システムにログインした場合、利用者端末４０には、店舗に入店する人数と部門とを入力することが可能な画面（以下、「第１入力画面」と表記）が表示される。対象利用者は、利用者端末４０を操作することによって、第１入力画面において人数と部門とを入力する。
【００６１】
なお、上記した受付画面と同様に、利用者端末４０に表示される第１入力画面は、例えば対象利用者の氏名、電話番号または予約カテゴリ等を入力することができるようなものであってもよい。
【００６２】
上記したように第１入力画面に対して対象利用者が人数及び部門を入力した場合、利用者端末４０は、対象利用者によって入力された人数及び部門を取得する（ステップＳ１２）。
【００６３】
ステップＳ１２の処理が実行されると、利用者端末４０は、当該ステップＳ１２において取得された人数及び部門を含む順番待ちの受付要求を、ネットワーク５０を介して情報管理装置１０に送信する（ステップＳ１３）。
【００６４】
情報管理装置１０に含まれる受付部１０１は、利用者端末４０によって送信された順番待ちの受付要求を受信する。これにより、受付部１０１は、店舗に対する順番待ちを受け付ける。
【００６５】
次に、登録部１０２は、受付部１０１によって受け付けられた順番待ちを登録するために、当該順番待ちを示す順番待ち情報を生成する（ステップＳ１４）。
【００６６】
この場合、登録部１０２は、第１店舗端末２０からの順番待ちと同様に、受付部１０１によって受け付けられた順番待ちに対して受付番号を発行する。また、登録部１０２は、現在時刻を受付時刻として取得する。
【００６７】
さらに、登録部１０２は、第１店舗端末２０からの順番待ちと同様に、対象利用者（の順番待ち）のステータスを取得する。上記したようにステップＳ１４において順番待ち情報が生成される時点では、登録部１０２は、対象利用者のステータスとして「未案内」を取得する。
【００６８】
これにより、登録部１０２は、受付部１０１によって受信された受付要求に含まれる人数及び部門に加えて、上記した受付番号、受付時刻及びステータスを含む順番待ち情報を生成する。
【００６９】
上記したようにステップＳ１４において生成された順番待ち情報は、登録部１０２によって格納部１０５に登録される（ステップＳ１５）。
【００７０】
ステップＳ１５において順番待ち情報が登録されると、当該登録が完了した旨の通知（登録完了通知）が情報管理装置１０から利用者端末４０に送信される（ステップＳ１６）。なお、この登録完了通知は、登録された順番待ち情報に含まれる受付番号及び受付時刻等を含み、例えば会員登録時に登録されている対象利用者のメールアドレスを用いてメールで送信されてもよい。
【００７１】
この場合、利用者端末４０は、情報管理装置１０から送信された登録完了通知（メール）を受信し、当該登録完了通知に含まれる受付番号を表示することができる（ステップＳ１７）。なお、登録完了通知は、利用者端末４０（例えば、スマートフォン等）上で動作するアプリケーションにおけるＰｕｓｈ通知により利用者端末４０に表示（通知）されても構わない。
【００７２】
利用者端末４０に表示された受付番号は、上記した第１店舗端末２０からの順番待ちにおける順番待ちカードに印刷された受付番号と同様の役割を有する。
【００７３】
このように利用者端末４０からの順番待ちにおいては、対象利用者は、店舗に来店することなく順番待ちを開始することができる。この場合、対象利用者は、順番待ちの最後尾に並んだ状態と同視できる。よって、対象利用者は、利用者端末４０からの順番待ち（を示す順番待ち情報）が登録された後に店舗に来店し、利用者端末４０に表示される受付番号に基づいて店舗のスタッフに呼び出されることによって、当該店舗に入店することができる。
【００７４】
図６は、上記した図４，５に示す処理が実行されることによって格納部１０５に登録された順番待ち情報のデータ構造の一例を示す図である。  
【００７５】
図６に示す例では、格納部１０５には、順番待ち情報１０５ａ〜１０５ｃが格納（登録）されている。順番待ち情報１０５ａ〜１０５ｃは、図６に示すように、受付番号、人数、受付時刻、部門及びステータスを含む。なお、受付番号、人数、受付時刻、部門及びステータスについては、上記した通りであるため、ここでは詳しい説明は省略する。
【００７６】
なお、順番待ち情報１０５ａ〜１０５ｃは、情報管理装置１０（の受付部１０１）によって順番待ちが受け付けられた順（つまり、受付時刻順）に格納されている。
【００７７】
例えば順番待ち情報１０５ａには、受付番号「１」、人数「Ｘ」、受付時刻「受付時刻１」、部門「Ａ」及びステータス「未案内」が含まれている。
【００７８】
この順番待ち情報１０５ａは、受付番号「１」が印刷された順番待ちカードが発券された利用者の順番待ちを示す順番待ち情報であり、店舗を利用する人数がＸ人（名）であり、当該順番待ちカードが発券された時刻（受付時刻）が「受付時刻１」であり、当該利用者のステータスが「未案内（つまり、まだ店舗や席に案内されていない）」であることを示している。また、この順番待ち情報１０５ａによれば、受付番号「１」が印刷された順番待ちカードが発券された利用者の店舗へ入店するに際しての条件（つまり、部門）が「Ａ」（第１条件）であることが示されている。
【００７９】
同様に、順番待ち情報１０５ｂは、受付番号「２」が印刷された順番待ちカードが発券された利用者の順番待ちを示す情報であり、店舗を利用する人数がＹ人であり、受付時刻が「受付時刻２」であり、当該利用者のステータスが「未案内」であることを示している。また、この順番待ち情報１０５ｂによれば、受付番号「２」が印刷された順番待ちカードが発券された利用者の店舗へ入店するに際しての条件が「Ｂ」（第１条件）であることが示されている。
【００８０】
さらに、順番待ち情報１０５ｃは、受付番号「３」が印刷された順番待ちカードが発券された利用者の順番待ちを示す情報であり、店舗を利用する人数がＺ人であり、受付時刻が「受付時刻３」であり、当該利用者のステータスが「未案内」であることを示している。また、この順番待ち情報１０５ｃによれば、受付番号「３」が印刷された順番待ちカードが発券された利用者の店舗へ入店するに際しての条件が「どちらでも（どれでも）」（第２条件）であることが示されている。
【００８１】
店舗へ入店するに際しての条件における「どちらでも」とは、部門「Ａ」であっても、部門「Ｂ」であっても良いことを示す。
【００８２】
なお、図５には順番待ち情報１０５ａ〜１０５ｃのみが示されているが、格納部１０５には、情報管理システムを利用する利用者によって登録された全ての順番待ち情報が格納されている。
【００８３】
ここで、本実施形態においては、順番待ちをしている利用者を店舗（または席）に案内するために店舗のスタッフが当該利用者を呼び出す必要がある。このため、第２店舗端末３０には、店舗のスタッフが当該利用者を呼び出す際に参照される全体状況画面が表示される。全体状況画面には、順番待ちの状況が部門毎に表示される。
【００８４】
以下、図７のシーケンス図を参照して、第２店舗端末３０に全体状況画面を表示する際の情報管理システムの処理手順について説明する。  
【００８５】
第２店舗端末３０に順番待ち情報を表示する場合、当該第２店舗端末３０から情報管理装置１０に上記した全体状況画面の表示（または更新）が要求される（ステップＳ２１）。このステップＳ２１の処理は、例えば店舗のスタッフによる第２店舗端末３０に対する操作が行われた場合、または予め定められた期間、第２店舗端末３０に対する操作が行われなかった場合に実行される。
【００８６】
管理部１０３は、第２店舗端末３０からの要求に応じて、格納部１０５に格納（登録）されている順番待ち情報を取得する（ステップＳ２２）。なお、ステップＳ２２においては、格納部１０５に格納されている順番待ち情報のうち、ステータスが「未案内」である順番待ち情報（つまり、ステータス「未案内」を含む順番待ち情報）が取得される。
【００８７】
次に、管理部１０３は、ステップＳ２２において取得された順番待ち情報を表示するための全体状況画面を生成する（ステップＳ２３）。なお、ステップＳ２３の具体的な処理については、図８の説明と共に後述するため、ここではその詳しい説明は省略する。
【００８８】
続いて、表示処理部１０４は、ステップＳ２３において生成された全体状況画面を第２店舗端末３０に表示するための画面データを第２店舗端末３０に送信する（ステップＳ２４）。
【００８９】
第２店舗端末３０は、表示処理部１０４によって送信された画面データを受信する。これにより、第２店舗端末３０においては、全体状況画面が表示される（ステップＳ２５）。なお、この全体状況画面は、例えば第２店舗端末３０上で動作するブラウザを介して表示される。
【００９０】
次に、図８のフローチャートを参照して、図７に示すステップＳ２３の具体的な処理手順について説明する。  
【００９１】
まず、管理部１０３は、格納部１０５から取得された順番待ち情報の中に、部門が「どちらでも」である順番待ち情報（つまり、部門「どちらでも」を含む順番待ち情報（第２順番待ち情報））があるか否かを判定する（ステップＳ３１）。
【００９２】
部門「どちらでも」を含む順番待ち情報がないと判定された場合（ステップＳ３１のＮＯ）、管理部１０３は、格納部１０５から取得された順番待ち情報（第１順番待ち情報）を、部門に従ってグループ分けするグルーピング処理を実行する（ステップＳ３２）。なお、グルーピング処理の詳細については、ステップＳ３４の処理と共に後述するため、ここではその詳しい説明は省略する。
【００９３】
ステップＳ３２の処理が実行されると、管理部１０３は、グループ毎に、順番待ち情報を受付時刻順でソートすると共に、各順番待ち情報に対応した待ち時間を算出し（ステップＳ３３）、後述するステップＳ３８の処理に進む。なお、待ち時間の算出方法についても、ステップＳ３６の処理と共に後述するため、ここではその詳しい説明は省略する。
【００９４】
一方で、ステップＳ３１の処理の結果、部門「どちらでも」を含む順番待ち情報があると判定された場合（ステップＳ３１のＹＥＳ）、管理部１０３は、格納部１０５から取得された順番待ち情報の中から、部門「どちらでも」を含む順番待ち情報を除いた順番待ち情報を対象にして、部門に従ったグループ分けを行うグルーピング処理を実行する。つまり、実質的には上記したステップＳ３２の処理と同様な処理を実行する（ステップＳ３４）。
【００９５】
例えば、格納部１０５から取得された順番待ち情報が、図６に示した順番待ち情報１０５ａ〜１０５ｃである場合、管理部１０３は、部門が「どちらでも」である順番待ち情報１０５ｃ以外の順番待ち情報１０５ａ，１０５ｂを対象にして、グルーピング処理を実行する。つまり、順番待ち情報１０５ａが部門「Ａ」のグループに仕分けられ、順番待ち情報１０５ｂが部門「Ｂ」のグループに仕分けられる。
【００９６】
次に、管理部１０３は、部門「どちらでも」を含む順番待ち情報を、部門「どちらでも」を含めることが可能な部門のグループに含める処理を実行する（ステップＳ３５）。
【００９７】
なお、部門「どちらでも」を含む順番待ち情報を含めることが可能か否かは、部門毎に設定されるものとする。ここでは、部門「どちらでも」を含めることが可能な部門として、部門「Ａ」，「Ｂ」の両部門が設定されている場合を想定する。
【００９８】
つまり、上記した部門「Ａ」のグループには、部門が「Ａ」である順番待ち情報１０５ａの他に、部門が「どちらでも」である順番待ち情報１０５ｃが含められ（属することになり）、上記した部門「Ｂ」のグループには、部門が「Ｂ」である順番待ち情報１０５ｂの他に、部門が「どちらでも」である順番待ち情報１０５ｃが含められる（属することになる）。
【００９９】
続いて、管理部１０３は、グループ毎に、順番待ち情報を受付時刻順でソートすると共に、各順番待ち情報に対応した待ち時間を算出する。つまり、上記したステップＳ３３の処理と同様な処理を実行する（ステップＳ３６）。
【０１００】
例えば、上記した部門「Ａ」のグループには、順番待ち情報１０５ａ，１０５ｃが属しているので、これら順番待ち情報に対応した待ち時間が各々算出され、上記した部門「Ｂ」のグループには、順番待ち情報１０５ｂ，１０５ｃが属しているので、これら順番待ち情報に対応した待ち時間が各々算出される。つまり、部門「どちらでも」を含む順番待ち情報については、部門「どちらでも」を含めることが可能な全ての部門のグループにおいて待ち時間が算出される。
【０１０１】
ここで、本実施形態においては、順番待ちをしている１組の利用者が案内されるまでの時間（以下、「単位待ち時間」と表記）が部門毎に予め設定されているものとする。このため、所定の順番待ち情報に対応した待ち時間を算出する場合、まず管理部１０３は、ソート結果に基づいて、所定の順番待ち情報よりも前に位置する（登録された）順番待ち情報の数をカウントし、これに１を加えた数を所定の順番待ち情報から見た待ち組数として算出する。その後、管理部１０３は、算出された待ち組数に単位待ち時間を乗算することによって、所定の順番待ち情報に対応した待ち時間を算出する。
【０１０２】
なお、上記した単位待ち時間は、情報管理装置１０側で設定されても良いし、各店舗に設けられる第２店舗端末３０において設定される構成であっても良い。
【０１０３】
ステップＳ３６の処理が実行されると、管理部１０３は、部門「どちらでも」を含む順番待ち情報が、どの部門のグループに正式に属するか（つまり、どの部門のグループの正データとなるか）を決定する（ステップＳ３７）。
【０１０４】
具体的には、まず管理部１０３は、部門「どちらでも」を含む所定の順番待ち情報について、部門「どちらでも」を含めることが可能な全ての部門のグループで算出された各待ち時間を比較する。その後、管理部１０３は、上記した所定の順番待ち情報は、待ち時間が最も短い部門のグループに正式に属するものと判断し（つまり、待ち時間が最も短いグループの正データとし）、その他のグループには形式的に属するものと判断する（つまり、その他のグループの副データとする）。
【０１０５】
しかる後、管理部１０３は、格納部１０５から取得された順番待ち情報を表示するための全体状況画面を生成する（ステップＳ３８）。
【０１０６】
ここで、図９を参照して、第２店舗端末３０に表示される全体状況画面について説明する。図９は、第２店舗端末３０に表示される全体状況画面の一例を示す図である。なお、図９においては、図１０に示す順番待ち情報１０５ｄ〜１０５ｆが格納部１０５に格納され、これら順番待ち情報１０５ｄ〜１０５ｆが表示された全体状況画面２００を示している。
【０１０７】
なお、以下では、第２店舗端末３０（及び第１店舗端末２０）が設置されている店舗が飲食店であって、部門として「カウンター席」、「テーブル席」及び「どちらでも（つまり、席種の指定なし）」が設定されている場合を想定する。また、ここでは、カウンター席の単位待ち時間が「４分」に設定され、テーブル席の単位待ち時間が「８分」に設定されている場合を想定する。
【０１０８】
さらに、ここでは、部門「どちらでも」を含めることが可能な部門として、「カウンター席」及び「テーブル席」の両部門が共に設定されている場合を想定する。つまり、図１０に示す順番待ち情報１０５ｄ〜１０５ｆに対して、上記した図８の処理が実行されることで、部門が「カウンター席」である順番待ち情報１０５ｅはカウンター席のグループに属すことになり、部門が「どちらでも」である順番待ち情報１０５ｄ，１０５ｆはカウンター席とテーブル席の両グループに属することになる。
【０１０９】
但し、部門が「どちらでも」である順番待ち情報１０５ｄは、上記した両グループにおいて、自身よりも前に登録された他の順番待ち情報がないので、部門「カウンター席」のグループに属する順番待ち情報１０５ｄに対応した待ち時間（つまり、カウンター席に案内されるまでにかかる待ち時間）は４分と算出され、部門「テーブル席」のグループに属する順番待ち情報１０５ｄに対応した待ち時間（つまり、テーブル席に案内されるまでにかかる待ち時間）は８分と算出される。
【０１１０】
これによれば、順番待ち情報１０５ｄは、待ち時間が最も短いカウンター席のグループに正式に属することとなり（つまり、部門「カウンター席」のグループの正データとなり）、テーブル席のグループには形式的に属することとなる（つまり、部門「テーブル席」のグループの副データとなる）。
【０１１１】
また、部門が「どちらでも」である順番待ち情報１０５ｆは、部門「カウンター席」のグループにおいては、自身よりも前に登録された２つの順番待ち情報１０５ｄ，１０５ｅがあるため、当該順番待ち情報１０５ｆに対応した待ち時間は１２分（＝４分×３組）と算出される。一方で、部門「テーブル席」のグループにおいては、自身よりも前に登録された１つの順番待ち情報１０５ｄがあるものの、当該順番待ち情報１０５ｄは部門「テーブル席」のグループには形式的に属しているだけであり、待ち組数としてはカウントされないため、テーブル席のグループに属する順番待ち情報１０５ｆに対応した待ち時間は８分と算出される。
【０１１２】
これによれば、順番待ち情報１０５ｆは、待ち時間が最も短いテーブル席のグループに正式に属することとなり、カウンター席のグループには形式的に属することとなる。
【０１１３】
以上のような状況において生成された全体状況画面２００は、図９に示すように、順番待ち情報１０５ｄ〜１０５ｆが部門毎に表示されている。具体的には、部門「カウンター席」のグループに属する順番待ち情報１０５ｄ〜１０５ｆが、当該順番待ち情報１０５ｄ〜１０５ｆに含まれる受付時刻が早い順に上から表示されている。同様に、部門「テーブル席」のグループに属する順番待ち情報１０５ｄ，１０５ｆが、当該順番待ち情報１０５ｄ，１０５ｆに含まれる受付時刻が早い順に上から表示されている。
【０１１４】
なお、部門「どちらでも」を含む順番待ち情報１０５ｄ，１０５ｆは、正データとして正式に属する部門のグループでのみ実線の枠をもって表示され、副データとして形式的に属する部門のグループでは点線の枠をもって表示されている。
【０１１５】
具体的には、順番待ち情報１０５ｄは、上記したように、部門「カウンター席」のグループの正データであるので、図中左側の部門「カウンター席」では実線の枠をもって表示され、部門「テーブル席」のグループの副データであるので、図中右側の部門「テーブル席」では点線の枠をもって表示されている。同様に、順番待ち情報１０５ｆは、上記したように、部門「テーブル席」のグループの正データであるので、図中右側の部門「テーブル席」では実線の枠をもって表示され、部門「カウンター席」のグループの副データであるので、図中左側の部門「カウンター席」では点線の枠をもって表示されている。
【０１１６】
なお、待ち時間は、正データに対応した順番待ち情報にのみ表示し、副データに対応した順番待ち情報には表示しない。
【０１１７】
また、部門が「どちらでも」である順番待ち情報１０５ｄ，１０５ｆは、部門が「どちらでも」であることを判別可能な形態で表示される（強調表示される）。図９では、「どちらでも」の「ど」のマークが付与されて表示される場合を例示しているが、これに限定されず、例えば、部門が「どちらでも」である順番待ち情報の枠の色や枠内の背景の色を、他の順番待ち情報の枠の色や背景の色とは変えて表示する、等であっても良い。
【０１１８】
店舗のスタッフは、カウンター席を利用していた他の利用者が当該店舗の利用を終えることによって、順番待ちをしている利用者がカウンター席を利用可能となった場合、上記した全体状況画面２００を参照して、当該全体状況画面２００の部門「カウンター席」の最上位に表示されている順番待ち情報に含まれる受付番号を呼び出すことによって、当該受付番号が印刷された順番待ちカードを所持する利用者をカウンター席に案内することができる。テーブル席が利用可能となった場合も同様である。
【０１１９】
なお、図９に示すように全体状況画面２００には、部門「どちらでも」を含む順番待ち情報に関し、副データの「表示」ボタン２０１及び「非表示」ボタン２０２が設けられている（表示されている）。図９では、「表示」ボタン２０１が押下された状態の全体状況画面２００を例示している。
【０１２０】
ここで、全体状況画面２００の「非表示」ボタン２０２が店舗のスタッフによって押下された場合を想定する。この場合、図９の全体状況画面２００において点線の枠もって表示されていた順番待ち情報１０５ｄ，１０５ｆが図１１に示すように非表示となり、図１１に示す全体状況画面３００では、部門「カウンター席」には、順番待ち情報１０５ｄ，１０５ｅが上から順に表示され、部門「テーブル席」には、順番待ち情報１０５ｆだけが表示される。
【０１２１】
また、図９に示すように全体状況画面２００には、部門に関し、「全て」ボタン２０３、「カウンター席」ボタン２０４及び「テーブル席」ボタン２０５が設けられている。図９では、「全て」ボタン２０３が押下された状態の全体状況画面を例示している。
【０１２２】
ここで、全体状況画面２００の「カウンター席」ボタン２０４が店舗のスタッフによって押下された場合を想定する。この場合、図１２の全体状況画面４００に示されるように、部門「カウンター席」だけが表示される。つまり、全体状況画面４００には、部門「カウンター席」のグループに属する順番待ち情報１０５ｄ〜１０５ｆだけが表示される。なお、「テーブル席」ボタン２０５が押下された場合も同様に、部門「テーブル席」のグループに属する順番待ち情報１０５ｄ，１０５ｆだけが表示される。
【０１２３】
さらに、図９に示す全体状況画面には、「全体状況」ボタン２０６及び「順番待ち受付」ボタン２０７が設けられている。
【０１２４】
「全体状況」ボタン２０６は、図９に示すような全体状況画面２００を表示するためのボタンである。図９に示す全体状況画面２００では、「全体状況」ボタン２０６が押下された状態（つまり、全体状況画面が表示されている状態）を示している。「全体状況」ボタン２０６が押下された場合には、上記した図７，８に示す処理が実行される。
【０１２５】
一方、「順番待ち受付」ボタン２０７は、店舗のスタッフが利用者を席に案内する際に押下されるボタンであり、「順番待ち受付」ボタン２０７が押下された場合には、図１３に示すような順番待ち受付画面５００が表示される。
【０１２６】
この順番待ち受付画面５００には、全体状況画面と同様に、順番待ち情報１０５ｄ〜１０５ｆが表示される他に、各順番待ち情報に対応した「案内」ボタン２０８が表示される。「案内」ボタン２０８は、順番待ち情報に対応した利用者を席に案内する際に、店舗のスタッフによって押下されるボタンである。
【０１２７】
例えば、順番待ち受付画面５００に表示されている順番待ち情報１０５ｄに対応づけて表示されている「案内」ボタン２０８が押下された場合には、当該「案内」ボタン２０８が押下されたこと（つまり、順番待ち情報１０５ｄによって示される順番待ちをしていた利用者を席に案内したこと）を示す情報が受付番号「１」と共に情報管理装置１０に対して送信される。この場合、情報管理装置１０の受付部１０１は、受付番号「１」及び案内済情報を受信する。管理部１０３は、受付部１０１によって受信された受付番号「１」を含む順番待ち情報１０５ｄを格納部１０５から取得し、当該順番待ち情報１０５ｄに含まれるステータスを受付部１０１によって受信された案内済情報に基づいて「案内済み」に更新する。
【０１２８】
全体状況画面（及び順番待ち受付画面）においてはステータスが「未案内」である順番待ち情報が表示される。このため、例えば、順番待ち受付画面５００において順番待ち情報１０５ｄ，１０５ｅに対応づけて表示されている「案内」ボタン２０８が押下された後に「全体状況」ボタン２０６が押下された場合には、当該順番待ち情報１０５ｄ，１０５ｅが非表示になると共に、ステータスが「未案内」である順番待ち情報１０５ｆを対象に、上記した図７，８に示す処理が再度実行される。
【０１２９】
この場合、順番待ち情報１０５ｆに含まれる部門が「どちらでも」であるので、順番待ち情報１０５ｆは部門「カウンター席」と部門「テーブル席」の両グループに属することになるが、部門「カウンター席」に対応した待ち時間が「４分」であるのに対し、部門「テーブル席」に対応した待ち時間が「８分」であるので、順番待ち情報１０５ｆは、部門「カウンター席」のグループの正データとなり、部門「テーブル席」のグループの副データとなる。このため、順番待ち情報１０５ｆは、図９に示したように、順番待ち情報１０５ｄ，１０５ｅに対応した利用者が未案内の時は、部門「テーブル席」のグループの正データであったが、順番待ち情報１０５ｄ，１０５ｅに対応した利用者が案内済みに移行した後は、部門「カウンター席」のグループの正データとなり、第２店舗端末３０には、図１４に示すような全体状況画面６００が表示される。
【０１３０】
このように、ステータスの更新によって、部門「どちらでも」を含む順番待ち情報が最上位に来る度に、情報管理装置１０の管理部１０３は、上記した図７，８に示す処理を再度実行し、全体状況画面を更新する。
【０１３１】
以上説明した一実施形態によれば、店舗へ入店するに際しての条件を明確に指定した利用者の順番待ちだけでなく、店舗へ入店するに際しての条件がいずれであっても良い利用者の順番待ちも合わせて管理することが可能となる。
【０１３２】
なお、本実施形態では、利用者端末４０は、第１店舗端末２０と同様な機能を有するものとして説明したが、利用者端末４０は、順番待ち情報を登録する際に、店舗へ入店するであろう入店予定時刻を指定可能な機能をさらに有していても良い。つまり、利用者端末４０の利用者は、入店予定時刻を指定した上で、部門「どちらでも」を選択することが可能となる。
【０１３３】
例えば、上記と同様に、店舗が飲食店であって、部門として「カウンター席」、「テーブル席」及び「どちらでも」が設定されている場合に、利用者によって入店予定時刻として「２０：００」が指定され、部門「どちらでも」が選択された場合、「２０：００」以降に「カウンター席」及び「テーブル席」のどちらでも良いといった旨の予約を行うことが可能となる。この場合であっても、入店予定時刻を受付時刻とみなすことで、上記と同様な順番待ちの管理を行うことが可能である。
【０１３４】
また、本実施形態においては、情報管理装置１０は１つの装置として説明したが、例えば情報管理装置１０の機能が複数の装置に分散されるような構成であっても構わない。
【０１３５】
上記した実施形態に記載した手法は、コンピュータに実行させることのできるプログラムとして、磁気ディスク（フロッピー（登録商標）ディスク、ハードディスクなど）、光ディスク（ＣＤ−ＲＯＭ、ＤＶＤなど）光磁気ディスク（ＭＯ）、半導体メモリなどの記憶媒体に格納して頒布することもできる。
【０１３６】
また、この記憶媒体としては、プログラムを記憶でき、かつコンピュータが読み取り可能な記憶媒体であれば、その記憶形式は何れの形態であってもよい。
【０１３７】
また、記憶媒体からコンピュータにインストールされたプログラムの指示に基づきコンピュータ上で稼働しているＯＳ（オペレーティングシステム）や、データベース管理ソフト、ネットワークソフト等のＭＷ（ミドルウェア）等が本実施形態を実現するための各処理の一部を実行してもよい。
【０１３８】
更に、本発明における記憶媒体は、コンピュータと独立した媒体に限らず、ＬＡＮやインターネット等により伝送されたプログラムをダウンロードして記憶または一時記憶した記憶媒体も含まれる。
【０１３９】
また、記憶媒体は１つに限らず、複数の媒体から本実施形態における処理が実行される場合も本発明における記憶媒体に含まれ、媒体構成は何れの構成であってもよい。
【０１４０】
なお、本発明におけるコンピュータは、記憶媒体に記憶されたプログラムに基づき、本実施形態における各処理を実行するものであって、パソコン等の１つからなる装置、複数の装置がネットワーク接続されたシステム等の何れの構成であってもよい。
【０１４１】
また、本発明におけるコンピュータとは、パソコンに限らず、情報処理機器に含まれる演算処理装置、マイコン等も含み、プログラムによって本発明の機能を実現することが可能な機器、装置を総称している。
【０１４２】
なお、本願発明は、上記実施形態そのままに限定されるものではなく、実施段階ではその要旨を逸脱しない範囲で構成要素を変形して具体化できる。また、上記実施形態に開示されている複数の構成要素の適宜な組合せにより種々の発明を形成できる。例えば、実施形態に示される全構成要素から幾つかの構成要素を削除してもよい。更に、異なる実施形態に亘る構成要素を適宜組合せてもよい。  
【符号の説明】
【０１４３】
１０…情報管理装置、１１…バス、１２…不揮発性メモリ、１３…ＣＰＵ、１４…メインメモリ、１５…通信部、２０…第１店舗端末、３０…第２店舗端末、４０…利用者端末、１０１…受付部、１０２…登録部、１０３…管理部、１０４…表示処理部、１０５…格納部。
【図１】
2019067099.tif 000003
【図２】
2019067099.tif 000004
【図３】
2019067099.tif 000005
【図４】
2019067099.tif 000006
【図５】
2019067099.tif 000007
【図６】
2019067099.tif 000008
【図７】
2019067099.tif 000009
【図８】
2019067099.tif 000010
【図９】
2019067099.tif 000011
【図１０】
2019067099.tif 000012
【図１１】
2019067099.tif 000013
【図１２】
2019067099.tif 000014
【図１３】
2019067099.tif 000015
【図１４】
2019067099.tif 000016